(57)【要約】【課題】バンド締付け及び締付け解放の動作を繰返しても使用でき、被締付け物のサイズが変わっても併用できる締付けバンドを提供する。【解決手段】係合タブ４を長孔３に挿入係止してバンド部材１をリング状に成形し、レバー２の一端側２ａをいずれかのレバー係止部５へ係止させたまま他端側２ｂをバンド部材１の外周へ傾倒させ、当該レバー２に対応する位置で待機するバックル６の起立部６ａに係止してバンド部材を縮径する。【選択図】図４
2006336742.tif 000002
【特許請求の範囲】
【請求項１】
湾曲したレバーの中途部が一端側に固定され、他端側に舌片状の頭部を有する係合タブが形成され、該係合タブを挿入する長孔が設けられた帯状のバンド部材と、
バンド部材の幅方向両側で起立しレバーより幅狭な起立部が設けられたバックルと、
バンド部材の長手方向で複数箇所に設けられレバーの一端側を係止するレバー係止部が設けられ、
係合タブを長孔に挿入係止してバンド部材をリング状に成形し、レバーの一端側をいずれかのレバー係止部へ係止させたまま他端側をバンド部材の外周へ傾倒させ、当該レバーに対応する位置で待機するバックルの起立部に係止してバンド部材を縮径することを特徴とする締付けバンド。
【請求項２】
前記バンド部材を縮径する際に長孔に係止した係合タブが当該長孔に沿ってスライドすることを特徴とする請求項１記載の締付けバンド。
【請求項３】
前記長孔は、バンド部材の複数箇所で外方へ袋状に突設されたレバー係止部の進入を許容する幅サイズに形成されていることを特徴とする請求項１記載の締付けバンド。
【請求項４】
前記バックルの起立片は、高さ方向中央部がレバーより幅狭となるように上端が幅方向外側を向いた湾曲形状に形成されていることを特徴とする請求項１記載の締付けバンド。
【請求項５】
前記バックルはバンド部材の長手方向に単数若しくは複数箇所でスライド可能に設けられることを特徴とする請求項１記載の締付けバンド。
【請求項６】
前記バックルのバンド部材に重ね合わせて装着されるベース部には突部が形成され、バンド部材には該突部が進入する嵌合孔が設けられていることを特徴とする請求項１記載の締付けバンド。
【請求項７】
前記レバーの一端側にはレバー係止部へ進入する突起部が形成されており、他端側先端部は重ね合わされるハンド部材より離間する外方へ反った平坦部が形成されていることを特徴とする請求項１記載の締付けバンド。  
【発明の詳細な説明】
【技術分野】
【０００１】
本発明は、例えば冷暖房用の空調用ダクト(断熱フレキシブルダクト)の配管接続部に好適に用いられる締付けバンドに関する。
【背景技術】
【０００２】
ダクト、ガスホース、等速ジョイントを覆うブーツ等に装着されて締付けを行う締付けバンドには様々なタイプのバンドが用いられる。中でも締付け部の塑性変形による高さが低く抑えられることから、所謂開放型の締付けバンドが用いられている。この締付けバンドはリング状に成形された金属帯状のバンド部材の両端を掌合させ、該掌合部の一方側にレバーが固着されている。この締付けバンドをレバーの一端をバンド部材に突き当て他端をバンド部材の外周に沿って重ね合わせるように倒すことにより縮径し、レバーを止金具で固定するようになっている（特許文献１参照）。
【０００３】
例えば、図６における開放型の締付けバンドの場合、帯状のバンド部材５１をリング状に形成すると共に、バンド部材５１の一端側に固定されたレバー５２の突起部５２ａを他端側に設けられた袋状のレバー係止部５３に係止する。この状態で、レバー５２を突起部５２ａの係止部分を支点としてバンド部材５１に重ね合わせるように傾倒させることで縮径させる。そして、レバー５２の両側に起立して設けられるバックル５４をハンマーなどの工具でレバー５２上へ折り曲げてレバー５２の弾発による戻りを防いで締付け状態が固定される。
【０００４】
或いは、被締付け物の径に応じて縮径の度合いを調整できるウオームギヤ駆動ホースクランプも提案されている（特許文献２参照）。これは、図７において、締付け帯５５の一端５５ａにはねじ溝５６が所定ピッチで長手方向へ形成されており、他端５５ｂには締付けねじ５７を備えたハウジング５８が固定されている。一端５５ａを第２端５５ｂ上に重ね合わせるようにハウジング５８内に挿入し、締付けねじ５７のねじ山とねじ溝５６を噛み合わせた状態でねじ５７を所定方向へ回転させることで締付け帯５５のオーバーラップ量を増減して縮径若しくは拡径できるようになっている。
【特許文献１】特公平７−２３７２３号公報
【特許文献２】特開２００２−１３６８２号公報
【発明の開示】
【発明が解決しようとする課題】
【０００５】
開放型の締付けバンドの場合、メンテナンスフリーでも使用できるが、被締付け物の外周より着脱できるため一旦バンドを緩めてメンテナンス作業を行なった後で、再度バンドを締付けて使用したいという繰返し使用に用いられる場合がある。しかしながら、一旦ハンマーなどでレバー上に折り曲げたバックルを再度起立させる際にバックルが壊れて使用できなくなる場合や、起立させたバックルを再度ハンマーなどで折り曲げるため、バックルが塑性変形してレバーの弾発を抑えきれないおそれがある。
また、被締付け物（例えば管やシャフト）のサイズが変われば、径の異なる締付けバンドを用いる必要があるため、被締付け物のサイズに応じてバンドの種類が増えて部品管理が煩雑になる。
また、工具を使用しなければバンドを着脱できないので、作業性に手間取るという課題がある。
また、被締付け物の外径がφ１００ｍｍ程度の管体であれば、バンドを蛇行することなく外周に沿って巻き付けることができるが、φ１００ｍｍを越える被締付け物に巻き付ける際にバンドがねじれにより蛇行して巻き難くなるという課題がある。バンドが蛇行して巻き付けられると、レバー５２の突起部５２ａとレバー係止部５３との係合位置がばらついて締付け作業がし難くなるという課題がある。
【０００６】
また、ウオームギヤ駆動型のクランプを用いる場合、被締付け物の外径に合わせて縮径若しくは拡径することができるので、部品点数を増やすことなくしかもメンテナンス時には締付けねじ５７を緩めて締付け帯５５をダクトなどにぶら下げたままの状態でメンテナンスを行なうことができる。しかしながら、ハウジング５８やねじ５７などクランプを構成する部品点数が多く、プレス加工でも絞り加工などの特殊加工が必要となることから製造コストが増大する。また、ねじ５７を緩めたり締付けたりするためにドライバーなどの工具が必要なため、作業性効率が悪いという課題もある。
【０００７】
本願発明は上記従来技術の課題を解決し、バンド締付け及び締付け解放の動作を繰返しても使用でき、被締付け物のサイズが変わっても併用でき、しかもバンドが蛇行することなく巻き付けて締付け作業が容易に行なえる利便性のよい締付けバンドを提供することを目的とする。
【課題を解決するための手段】
【０００８】
本発明は上記目的を達成するため、次の構成を備える。
湾曲したレバーの中途部が一端側に固定され、他端側に舌片状の頭部を有する係合タブが形成され、該係合タブを挿入する長孔が設けられた帯状のバンド部材と、バンド部材の幅方向両側で起立しレバーより幅狭な起立部が設けられたバックルと、バンド部材の長手方向で複数箇所に設けられレバーの一端側を係止するレバー係止部が設けられ、係合タブを長孔に挿入係止してバンド部材をリング状に成形し、レバーの一端側をいずれかのレバー係止部へ係止させたまま他端側をバンド部材の外周へ傾倒させ、当該レバーに対応する位置で待機するバックルの起立部に係止してバンド部材を縮径することを特徴とする。
また、前記バンド部材を縮径する際に長孔に係止した係合タブが当該長孔に沿ってスライドすることを特徴とする。
また、長孔は、バンド部材の複数箇所で外方へ袋状に突設されたレバー係止部の進入を許容する幅サイズに形成されていることを特徴とする。
また、バックルの起立片は、高さ方向中央部がレバーより幅狭となるように上端が幅方向外側を向いた湾曲形状に形成されていることを特徴とする。
また、バックルはバンド部材の長手方向に単数若しくは複数箇所でスライド可能に設けられることを特徴とする。
また、バックルのバンド部材に重ね合わせて装着されるベース部には突起部が形成され、バンド部材には該突起部が進入する嵌合孔が設けられていることを特徴とする。
また、レバーの一端側にはレバー係止部へ進入する突起部が形成されており、他端側先端部は重ね合わされるハンド部材より離間する外方へ反った平坦部が形成されていることを特徴とする。
【発明の効果】
【０００９】
本発明の締付けバンドを用いれば、係合タブを長孔に挿入係止してバンド部材をリング状に成形し、被締付け物のサイズに合わせてレバーの一端側をいずれかのレバー係止部へ係止させたまま他端側をバンド部材の外周へ傾倒させ、当該レバーに対応する位置で待機するバックルの起立部に係止してバンド部材を縮径する。よって、レバーとバックルを係止及び係止解除するだけでバンド締付け及び締付け解除を繰返し行なうことができ、しかもレバー係止部が長手方向で複数箇所に設けられているので被締付け物のサイズが変わっても併用することができる。また、バンド部材はオープン形状でもクローズ形状のいずれでも使用することができるので使い勝手がよい。
また、バンド部材を縮径する際に係合タブが長孔に係止したままスライドするので、径の大きな被締付け物に巻き付ける際に、バンドがねじれて蛇行することはなく装着性がよい。また、長孔は複数箇所で外方へ袋状に突設されたレバー係止部の進入を許容する幅サイズに形成されるので、バンドの重ね合わせ部分に突設されるレバー係止部の高さを長孔により吸収してバンド部材が径方向外側へ膨らむのを防ぐことができる。
また、バックルの起立片は、高さ方向中央部がレバーより幅狭となるように上端が幅方向外側を向いた湾曲形状に形成されているので、レバーの一端側を支点として他端側をバックル間に進入させるスナップフィットにより係止することができ、バンド締付け動作及び締付け解除動作が工具を使わずに手作業で容易に行なえる。
また、バックルはバンド部材の長手方向に単数若しくは複数箇所でスライド可能に設けられる場合には、少ない部品点数でレバーを係止することができる。
また、バックルのバンド部材に重ね合わせて装着されるベース部には突起部が形成され、バンド部材には該突起部が進入する嵌合孔が設けられているので、バックルを突起部が嵌合孔に嵌め込まれる位置で位置決めすることができ、レバーの一端を対応するレバー係止部へ係止したまま他端側をバンド部材の外周へ傾倒させるだけで起立部にレバーを確実に係止することができる。
また、レバーの一端側にはレバー係止部へ進入する突起部が形成されているので、レバーの一端側を突起部にてレバー係止部へ係止することでレバーを位置ずれすることなくバンド部材へ傾倒させることができる。また、レバーの他端側先端部にはハンド部材より離間する外方へ反った平坦部が形成されているので、該平坦部を手作業で押圧してレバーをバンド部材に係止させたり係止解除させたりすることができる。
また、バンドを構成する部品は少なく金属材料をプレス加工（打ち抜き加工）だけで製造できるので、安価に大量生産することができる。
【発明を実施するための最良の形態】
【００１０】
以下、本発明を実施するための最良の形態について説明する。本発明はバンド部材の一端側にレバーが中途部にて固定されると共にバンド部材の長手方向に長孔が形成され、他端側に舌片状の係合タブが形成された当該バンド部材を、係合タブを長孔に挿入係止してリング状に成形すると共に当該レバーの一端側をバンド部材に形成されるレバー係止部を支点として他端側をバンド部材の外周面に重ね合わせて傾倒することによりバンド部材を縮径する締付けバンドに広く適用できる。以下では、一例として換気システムの空調用ダクト（フレキシブルダクト）の接続部を締め付ける締付けバンドについて説明する。
【００１１】
先ず、図１乃至図４を参照して締付けバンドの構成について説明する。
図１Ａにおいて、バンド部材１は帯状の金属材、例えばバネ特性を有する金属材が用いられる。このバンド部材１の一端側にレバー２が中途部にて固定されている。レバー２は一端部２ａを支点としてバンド部材１に傾倒させて重ね合わせるため円弧面に形成されている。このレバー２の他端（先端）側には、円弧面から外方へ離間するように反った平坦部２ｂが形成されている。この平坦部２ｂを押圧することでレバー２が一端側２ａを支点として押し倒したり、後述するバックル６に係止したレバー２を押し上げて開放したりできるようになっている。また、レバー２の一端側２ａの中央部には突起２ｃが設けられている。
【００１２】
図１Ｂにおいて、レバー２の近傍にはバンド部材１の長手方向に長孔３が形成されている。また、バンド部材１の他端側には舌片状の頭部を有する係合タブ４が形成されている。長孔３は、レバー２を傾倒させてバンド部材１を縮径させる際に長孔３内を挿通する係合タブ４がスライドするのをガイドする。これによって、バンド部材１がねじれることなく（従って蛇行することなく）被締付け物に巻き付けることができる。長孔３の幅Ｄ１は、係合タブ４のネック部４ａの幅Ｃ１より大きいサイズで形成される。この係合タブ４がネック部４ａを起立させて形成されているので、係合タブ４が長孔３に沿って移動する際に、当該係合タブ４の滑動性が良くなる。
【００１３】
また、長孔３は、バンド端より最も近いレバー係止部５へレバー２を係止する場合を除いて、バンド部材１に外方へ袋状に突設されたレバー係止部５の進入を許容する幅サイズに形成される。これによりバンド部材１の重ね合わせ部分に突設されるレバー係止部５の高さを長孔３により吸収してバンド部材１が径方向外側へ膨らんだり蛇行したりするのを防ぐことができる。
【００１４】
また、長孔３の長手方向の長さサイズＤ２は、各レバー係止部５にレバー２を係止して縮径した際に係合タブ４が各々移動する量に、ネック部４ａから最も近いレバー係止部５までの長さＥ１を加えて決定される。このＥ１の長さは縮径には寄与しない寸法であるが、このＥ１を調整することでダクトなどの被締付け物の様々なサイズに適用できるうえに、実際の締付け径より大きい被締付け物にオープンでもクローズでもいずれの形態でも余裕をもって装着することが可能になる。
【００１５】
バンド部材１には、レバー係止部５が長手方向で複数箇所（本実施例では３箇所）に形成されている。各レバー係止部５は、バンド部材１の一部を外方へ膨出する袋状に形成されている。これらのレバー係止部５のうちいずれかにレバー２の一端側２ａに設けられた突起２ｃを係止するようになっている。この突起２ｃは、レバー２を起立させる際のガイドとなるうえにレバー２の幅方向の位置出しを行なって傾倒させることでバックル６へ確実に係止することができる。バンド部材１には、幅方向両側にレバー２より幅狭な起立部６ａが設けられたバックル６が長手方向にスライド可能に取り付けられている。バックル６にはバネ特性を有する金属材が用いられる。尚、定形サイズのダクトを締め付ける場合には、バックル６はバンド部材１に固定されていてもよい。
【００１６】
図２Ａにおいて、バックル６は起立ベース部７ａの両側に起立部６ａが両側に形成され、取付けベース部７ｂの両側に取付けガイド部６ｂが一体に形成されている。起立ベース部７ａと取付けベース部７ｂは、幅狭な架橋部７ｃによって一体に形成されている。この架橋部７ｃによって起立ベース部７ａに弾性を付与し、起立部６ａがレバー２により押圧される際の押圧力を吸収できるようになっている。起立部６ａの高さ方向中央部はレバー２より幅狭となるように上端が幅方向両側を向いた湾曲形状に形成されている。また、図２Ｂにおいて、起立ベース部７ａには突起部８が形成されており、バンド部材１には突起部８が進入する嵌合孔９が設けられている。この嵌合孔９は、バンド部材１の長手方向に設けられるレバー係止部５に対応して複数箇所（本実施例では３箇所）に設けられている。
【００１７】
また、図２Ｃにおいて、取付けガイド部６ｂは取付けベース部７ｂの両側に形成され、バンド部材１に長手方向へスライド可能に組み付けられる。取付けガイド部６ｂのバンド部材１の両側から中央部へ向かってＬ字状に折り曲げられたガイド部先端６ｃの間隔Ｆは、バンド部材１に設けられるレバー係止部５の幅Ｇより広いため、バックル６をスライドさせても取付けガイド部６ｂが複数箇所に設けられるレバー係止部５と干渉することはない。バックル６は、バンド部材１の長手方向にスライドさせて、起立ベース部７ａの突起部８をいずれかの嵌合孔９に嵌合させて位置決めすることができる。尚、バックル６は１箇所に設けて所定位置へスライドさせて使用することもできるが、レバー係止部５に対応して複数個所に設けることも可能である。
【００１８】
上述した締付けバンド１０を装着するには、図３において、バンド部材１を、係合タブ４を長孔３に挿入係止してリング状に成形する。バンド部材１は弾発により拡径方向へ広がろうとするが、係合タブ４が長孔３の端部に係止するため、リング状に形成される。
次いで、図４において、レバー２を被締付け物のサイズに応じたレバー係止部５を選んでレバー２を起立させて一端部２ａの突起部２ｃをレバー係止部５に係止させる。そして、レバー２の一端部２ａをレバー係止部５に係止したまま平坦部２ｂを押圧してレバー２をバンド部材１に傾倒させる。このとき、レバー２が起立部６ａを両側に押し広げながら進入して係止する。レバー２はバックル６に係止したり係止解除したりしても、繰返し使用に耐え得る。
【００１９】
図５Ａ〜Ｅに締付けバンド１０をダクト１１に装着作業手順の一例について説明する。
尚、ダクト１１が例えば空調用の断熱フレキシブルダクトの場合、断熱材を金属材料でスパイラル状に巻き締められた筒体の内装及び外装が樹脂フィルムで覆われて形成されたダクト開口部に金属製ソケットが挿入された状態で、外装側の樹脂フィルムの上に締付けバンド１０が装着される。
【００２０】
図５Ａにおいて、ダクト１１に帯状の締付けバンド１０をリング状に巻き付ける。そして、図５Ｂにおいて、係合タブ４を長孔３に挿入してバンド部材１をリング状に仮止めする。次いで、図５Ｃ及び図５Ｄにおいて、レバー２を起立姿勢にしながら、一端部２ａを締付け可能なレバー係止部５に係止させる。最後に図５Ｅにおいて、レバー２の先端側に設けられた平坦部２ｂを押圧してバンド部材１へ傾倒させることで、レバー２に対応する位置で待機するバックル６に係止させて縮径することができる。このとき、係合タブ４はネック部４ａが長孔３にガイドされてスライドするため、バンド部材１が蛇行することはない。尚、締付けバンド９の締付けを解除する場合には、上述した逆の手順を行なえばよく、レバー２とバックル６の係止状態を解除して起立姿勢にすることでレバー２の一端部２ａとレバー係止部５の係止状態を解除することで、ダクト１１に嵌め込まれたまま締付け状態を緩めることができる。或いは長孔３に挿入されている係合タブ４を抜き出すことにより、バンド部材１をダクト１０より取り外すこともできる。
【００２１】
以上説明したように、開放型の締付けバンド９を用いて工具を使用せずに締付け作業を行なうことができるので作業性が向上し、繰返し使用することができるのでメンテナンスに要するコストも低減することができる。
【図面の簡単な説明】
【００２２】
【図１】締付け前の締付けバンドの斜視図である。
【図２】バンド部材の一端側とバックルの斜視図である。
【図３】仮止め状態の締付けバンドの斜視図である。
【図４】縮径状態の締付けバンドの斜視図である。
【図５】締付けバンドのダクトへの装着手順を示す状態説明図である。
【図６】従来の締付けバンドの斜視説明図である。
【図７】従来の締付けバンドの斜視説明図である。
【符号の説明】
【００２３】
１  バンド部材
２  レバー
２ａ  一端部
２ｂ  平坦部
２ｃ  突起部
３  長孔
４  係合タブ
４ａ  ネック部
５  レバー係止部
６  バックル
６ａ  起立部
６ｂ  取付けガイド部
６ｃ  ガイド部先端
７ａ  起立ベース部
７ｂ  取付けベース部
７ｃ  架橋部
８  突起部
９  嵌合孔
１０  締付けバンド
１１  ダクト 
【図１】
2006336742.tif 000003
【図２】
2006336742.tif 000004
【図３】
2006336742.tif 000005
【図４】
2006336742.tif 000006
【図５】
2006336742.tif 000007
【図６】
2006336742.tif 000008
【図７】
2006336742.tif 000009